(57)【要約】【課題】光ファイバの先端部分における接触を抑制可能な技術を提供することを目的とする。【解決手段】光ファイバ梱包構造は、環状に巻かれた光ファイバ１を梱包する光ファイバ梱包構造であって、保持具４と、上昇保持部５とを備える。上昇保持部５は、例えば保持具４の上面から高さ方向に突出する凸部であり、保持具４に載置された環状に巻かれた光ファイバ１を部分的に高さ方向に持ち上げることにより、環状に巻かれた光ファイバ１のうち当該光ファイバ１の先端部分１０と平面視において重なる重畳部分１８を、当該先端部分１０から離間させる。【選択図】図３
2014074823.tif 000002
【特許請求の範囲】
【請求項１】
環状に巻かれた光ファイバを梱包する光ファイバ梱包構造であって、
保持具と、
前記保持具に載置された前記環状に巻かれた前記光ファイバを部分的に高さ方向に持ち上げることにより、前記環状に巻かれた前記光ファイバのうち当該光ファイバの先端部分と平面視において重なる重畳部分を、当該先端部分から離間させる上昇保持部と
を備える、光ファイバ梱包構造。
【請求項２】
請求項１に記載の光ファイバ梱包構造であって、
前記上昇保持部は、前記保持具の上面から前記高さ方向に突出する凸部であり、
前記保持具に載置された前記光ファイバは部分的に前記凸部の上部に載置され、
前記光ファイバの前記先端部分は、前記凸部に隣接して前記保持具に配設される、光ファイバ梱包構造。
【請求項３】
請求項１または請求項２に記載の光ファイバ梱包構造であって、
前記保持具及び前記上昇保持部は、一の平面部材を折り曲げ立体に組み上げて形成されている、光ファイバ梱包構造。
【請求項４】
請求項１乃至請求項３のいずれかに記載の光ファイバ梱包構造であって、
前記保持具に載置された前記光ファイバと当該光ファイバが備わる機器とを梱包する梱包材をさらに備え、
前記梱包材は複数板に分割可能である、光ファイバ梱包構造。
【発明の詳細な説明】
【技術分野】
【０００１】
本発明は、環状に巻かれた光ファイバを梱包する光ファイバ梱包構造に関するものである。
【背景技術】
【０００２】
電子機器または電気機器（以下、これらをまとめて「機器」と呼ぶ）が有する線状の光ファイバを梱包する場合、一般に、光ファイバを幾重か巻き、それによって重なった複数の線を例えばビニル帯を用いて複数個所で結束する。その後、結束された光ファイバを梱包する。
【０００３】
近年、このような光ファイバの梱包について様々な技術が提案されている。例えば、収納ケースに設けた収納凹部内に、光ファイバを固定する構成では、光ファイバの性能劣化や、光ファイバの先端部へのストレスを軽減するために、収納凹部の寸法が適切に規定されている（特許文献１及び特許文献２）。
【０００４】
また、例えば、板状の保持具に光ファイバを固定する構成では、略円環状に巻取り固定された光ファイバが、ファイバ固定部の中心に向かって伸びる第１及び第２舌部と、当該中心とは反対側に向かって伸びる第３舌部とを備える構成が提案されている（特許文献３）。この構成によれば、光ファイバの損傷を抑えつつ、その取り扱い性を向上させることが可能となっている。
【０００５】
また、例えば、光ファイバをラップフィルムに密着させながら覆いつつ、当該光ファイバを板状の保持具に固定する構成では、光ファイバとラップフィルムとの間に保護カバーを介在させることが提案されている（特許文献４）。この構成によれば、光ファイバがラップフィルムに絡まるのを防ぐことが可能となっている。
【先行技術文献】
【特許文献】
【０００６】
【特許文献１】特許第３４６０６８９号公報
【特許文献２】特許第４５９４１４５号公報
【特許文献３】特開２０１１−２２３４７号公報
【特許文献４】特許第４０２８２２７号公報
【発明の概要】
【発明が解決しようとする課題】
【０００７】
長尺の光ファイバを環状に巻いて梱包する上述の梱包構造では、光ファイバの先端部分とそれ以外の部分とが重なることが避けられないことがあり、先端部分と、それと重なる部分とが、互いに接触（干渉）してしまう場合があるという問題がある。特に、光ファイバの構成のうち、その先端部分において、耐力が弱い光ファイバ心線が光ファイバ保護管から剥き出されている構成では、上述の接触（干渉）の問題が顕著となる。
【０００８】
そこで、本発明は、上記のような問題点を鑑みてなされたものであり、光ファイバの先端部分における接触を抑制可能な技術を提供することを目的とする。
【課題を解決するための手段】
【０００９】
本発明に係る光ファイバ梱包構造は、環状に巻かれた光ファイバを梱包する光ファイバ梱包構造であって、保持具と、前記保持具に載置された前記環状に巻かれた前記光ファイバを部分的に高さ方向に持ち上げることにより、前記環状に巻かれた前記光ファイバのうち当該光ファイバの先端部分と平面視において重なる重畳部分を、当該先端部分から離間させる上昇保持部とを備える。
【発明の効果】
【００１０】
本発明によれば、環状に巻かれた光ファイバを部分的に高さ方向に持ち上げることにより、重畳部分を先端部分から離間させるので、光ファイバの先端部分が損傷するのを抑制することができる。
【図面の簡単な説明】
【００１１】
【図１】実施の形態１に係る光ファイバ梱包構造が適用される機器を示す斜視図である。
【図２】実施の形態１に係る光ファイバ梱包構造が適用される機器を示す平面図である。
【図３】実施の形態１に係る光ファイバ梱包構造が適用された機器を示す正面図である。
【図４】実施の形態１に係る光ファイバ梱包構造を示す斜視図である。
【図５】実施の形態１に係る光ファイバ梱包構造を示す斜視図である。
【図６】実施の形態２に係る光ファイバ梱包構造の展開図である。
【図７】実施の形態２に係る光ファイバ梱包構造を示す斜視図である。
【図８】関連梱包構造が適用可能な機器を示す斜視図である。
【図９】関連梱包構造を示す斜視図である。
【図１０】光ファイバの先端部分の拡大図である。
【図１１】光ファイバの先端部分の拡大図である。
【図１２】関連梱包構造が適用される機器を示す平面図である。
【図１３】関連梱包構造が適用される機器を示す正面図である。
【発明を実施するための形態】
【００１２】
＜実施の形態１＞
本発明の実施の形態１に係る光ファイバ梱包構造は、環状に巻かれた光ファイバを梱包する梱包構造である。まず、本実施の形態１に係る光ファイバ梱包構造について説明する前に、これと関連する光ファイバ梱包構造（以下、「関連梱包構造」と呼ぶ）について説明する。
【００１３】
図８は、関連梱包構造が適用される、光ファイバ１と外郭筐体２とを備える機器を示す斜視図である。
【００１４】
光ファイバ１の一端部分は、ファイバ固定部３によって外郭筐体２と固定されており、光ファイバ１の先端部分（他端部分）１０は、外郭筐体２と固定されずに自由となっている。光ファイバ１は、上記一端部分にて、外郭筐体２の内部に設けられた図示しない光源素子から光を受けると、当該光を先端部分１０に伝達する。なお、光ファイバ１の長さ（外郭筐体２から外部に延在する長さ）に制約はないが、一つの目安として、外郭筐体２の外形長手寸法の２〜３倍程度となるのが通常であり、大型機器が備える光ファイバ１の長さは数ｍに及ぶこともある。
【００１５】
外郭筐体２は、上述したように、光ファイバ１に光を与える光源素子が内蔵されている。外郭筐体２の側面には、光源素子などを冷却する冷却風の吸入口として複数の開口２１が設けられている。
【００１６】
光ファイバ１は、損傷しない最小曲げ半径以上の曲げ半径（換言すれば最大曲率以下の曲率）で環状（円状または楕円状）に巻かれており、それによって重なった複数の線が、例えば図示しないビニル帯を用いて複数個所で結束されている。これにより、光ファイバ１は比較的小さいサイズ、具体的には外郭筐体２の天面の範囲内、すなわち上記機器の縦横寸法内のサイズに固定された状態で梱包可能となっている。
【００１７】
ここで、関連梱包構造は保持具４０を備えており、図８に示す光ファイバ１は、その保持具４０を介して外郭筐体２上に配置されている。この保持具４０は、上記機器の梱包時などに、光ファイバ１と外郭筐体２とが直接接触して互いが損傷するのを防ぐための板状部材であり、例えば段ボール等から構成されている。図９は、保持具４０のみを示す図である。
【００１８】
次に、光ファイバ１の先端部分１０について詳細に説明する。図１０及び図１１は、光ファイバ１の先端部分１０の拡大図である。図１０は、光ファイバ１が梱包されるときの光ファイバ１の先端部分１０の状態を示し、図１１は、光ファイバ１が使用されるとき（梱包されていないとき）の光ファイバ１の先端部分１０の状態を示している。
【００１９】
図１０及び図１１に示されるように、本実施の形態に係る光ファイバ１は、光ファイバ心線１１と、光ファイバ保護管１２と、板状部材１３とを備えて構成されている。
【００２０】
光ファイバ心線１１は、光を伝達する１本または複数本の線状部材であり、例えば石英ガラスやプラスチックなどから構成される。
【００２１】
光ファイバ保護管１２は、光ファイバ心線１１の周囲を覆って光ファイバ心線１１を保護する管であり、例えば、らせん状のステンレス等から構成される。ここでの光ファイバ保護管１２は、光ファイバ１の先端部分１０以外において光ファイバ心線１１を覆っているが、光ファイバ１の先端部分１０では光ファイバ心線１１を覆っていない。
【００２２】
板状部材１３は、光ファイバ１の先端部分１０（光ファイバ保護管１２により覆われていない光ファイバ心線１１）を覆っており、板金などから構成されている。この板状部材１３は、光ファイバ１が他の機器と接続するために、光ファイバ保護管１２と離間されている。
【００２３】
保護キャップ１４は、光ファイバ１の先端部分１０の端面の傷や汚れを防ぐ保護キャップであり、板状部材１３と着脱可能となっている。保護板１５は、梱包時に板状部材１３及び光ファイバ保護管１２の下に配設されて、光ファイバ１の先端部分１０を補強及び保護する板状部材であり、例えば、段ボール等から構成される。なお、保護キャップ１４及び保護板１５は、保護具として光ファイバ１の梱包時のみに使用され、光ファイバ１の使用時（機器の使用時）には使用されない。
【００２４】
以上に説明した図１０及び図１１に示される光ファイバ１の構成では、板状部材１３と、光ファイバ保護管１２との間は、光ファイバ心線１１が剥き出しになっている。通常、光ファイバ心線１１は、損傷やほこり、指紋等の汚れへの耐力が弱いため、取り扱いには細心の注意を要する。
【００２５】
しかしながら、図８に示したような関連梱包構造において、環状に巻かれた光ファイバ１を梱包しようとすると、図１２（図８の平面図）及び図１３（図８の正面図）に示されるように、平面視において、光ファイバ１の先端部分１０と、それと重なる光ファイバ１の重畳部分１８とが互いに接触（干渉）する。そのため、光ファイバ１の先端部分１０において剥き出しになっている光ファイバ心線１１が、重畳部分１８との接触により損傷してしまうことがあるなどの問題があった。
【００２６】
なお、図１２及び図１３に示すように光ファイバ１の先端部分１０を、重畳部分１８の下に配置する構成とするのではなく、光ファイバ１の先端部分１０を、重畳部分１８の上に保護板１５を介して配置すればよいとも考えられる。しかしながら、図１３に示すように、外郭筐体２の上面のファイバ固定部３から上側に伸びる光ファイバ１を下側に半円状曲げて環状に巻くような構成では、その半円状に曲げた部分が邪魔で、先端部分１０を重畳部分１８の上に安定して配置することができない。
【００２７】
これに対して、本実施の形態１に係る光ファイバ梱包構造では、光ファイバ１の先端部分１０における接触を抑制可能となっている。次に、このような光ファイバ梱包構造について詳細に説明する。
【００２８】
図１は、本実施の形態１に係る光ファイバ梱包構造が適用される、光ファイバ１と外郭筐体２とを備える機器を示す斜視図であり、図２はその平面図、図３はその正面図である。また、図４は、本実施の形態１に係る光ファイバ梱包構造を示す斜視図である。なお、本実施の形態１に係る光ファイバ梱包構造において、関連梱包構造の構成要素と同一であるものについては同一の符号を付しており、以下、関連梱包構造と異なる点を中心に説明する。
【００２９】
本実施の形態１に係る光ファイバ梱包構造は、保持具４と、上昇保持部５とを備えている。なお、保持具４は、上述の保持具４０とほぼ同じである。
【００３０】
上昇保持部５は、保持具４の上面から高さ方向に突出する方形状の凸部を含んでいる。本実施の形態１では、上昇保持部５の凸部は、保持具４上面に接着などにより固定された発泡スチロールなどから構成されている。
【００３１】
ここで、図２及び図３に示すように、保持具４に載置された環状に巻かれた光ファイバ１は、部分的に上記凸部の上部に載置される。具体的には、光ファイバ１のうち重畳部分１８の隣の部分が凸部の上面に載置される。そして、光ファイバ１の先端部分１０は、上記凸部の側面に隣接して保持具４に配設される。
【００３２】
すなわち、上昇保持部５は、保持具４に載置された環状に巻かれた光ファイバ１を部分的に高さ方向に持ち上げることにより、環状に巻かれた光ファイバ１のうち当該光ファイバ１の先端部分１０と平面視において重なる重畳部分１８を、当該先端部分１０から離間させるものとなっている。
【００３３】
以上のような本実施の形態１に係る光ファイバ梱包構造によれば、環状に巻かれた光ファイバ１を部分的に高さ方向に持ち上げることにより、重畳部分１８が先端部分１０から離間するので、光ファイバ１の先端部分１０が重畳部分１８と接触して損傷するのを抑制することができる。しかも、このような効果を、簡単な構成で、かつ、関連梱包構造とほぼ同じサイズ（比較的小さいサイズ）で実現することができる。
【００３４】
図５は、本実施の形態１に係る光ファイバ梱包構造が適用された上記機器を示す斜視図である。光ファイバ梱包構造は、保持具４に載置された光ファイバ１と、当該光ファイバ１が備わる機器とを梱包する梱包材を備えている。この梱包材は、図５に示すように、複数板（底板６０、側面板６１、前後面板６２及び天板６３）に分割可能となっており、例えば段ボールから構成されている。底板６０の下に配置されたパレット６４は、木材や金属材から構成される。
【００３５】
このような本実施の形態１に係る光ファイバ梱包構造によれば、梱包カバーが、複数板（底板６０、側面板６１、前後面板６２及び天板６３）に分割可能であることから、梱包作業を確実に進めることができる。
【００３６】
＜実施の形態２＞
実施の形態１では、上昇保持部５は、保持具４と別の素材を接着するなどして構成されていた。これに対して、本発明の実施の形態２では、上昇保持部５は、保持具４と同一素材から構成されている。以下、本実施の形態２に係る光ファイバ梱包構造において、実施の形態１で説明した構成要素と同一または類似するものについては同じ符号を付し、異なる点を中心に説明する。
【００３７】
図６は、本実施の形態２に係る光ファイバ梱包構造（保持具４及び上昇保持部５）の展開図であり、図７は光ファイバ梱包構造の斜視図である。図７に示される保持具４及び上昇保持部５は、図６に示される一の平面部材７１を破線部分で折り曲げるなどして立体に（箱状に）組み上げることにより形成されている。なお、このようにして形成された保持具４及び上昇保持部５は一体化されている。また、一の平面部材７１には、例えば段ボールなどが適用される。
【００３８】
以上のような本実施の形態２に係る光ファイバ梱包構造によれば、実施の形態１で述べた効果と同様の効果を得ることができるとともに、部品点数を増やすことなく保持具４及び上昇保持部５を形成することができる。
【００３９】
なお、以上の実施の形態１及び実施の形態２の説明では、上昇保持部５は、保持具４の端部側に配設されていた（図４及び図７）が、上昇保持部５の位置はこれに限ったものではなく、光ファイバ１の長さ、その最小曲げ半径、及び、光ファイバ１の先端部分１０の長さ等に基づいて決まる位置に配設すればよい。
【００４０】
また、上昇保持部５は保持具４に接着または一体により、保持具４と固定されていたが、これに限ったものでない。例えば、上昇保持部５は、保持具４と固定されていなくてもよく、あるいは保持具４以外の他の部品と一体化されていてもよい。
【００４１】
なお、本発明は、その発明の範囲内において、各実施の形態を自由に組み合わせたり、各実施の形態を適宜、変形、省略したりすることが可能である。
【符号の説明】
【００４２】
１  光ファイバ、４  保持具、５  上昇保持部、１０  先端部分、１８  重畳部分、６０  底板、６１  側面板、６２  前後面板、６３  天板、７１  平面部材。
【図１】
2014074823.tif 000003
【図２】
2014074823.tif 000004
【図３】
2014074823.tif 000005
【図４】
2014074823.tif 000006
【図５】
2014074823.tif 000007
【図６】
2014074823.tif 000008
【図７】
2014074823.tif 000009
【図８】
2014074823.tif 000010
【図９】
2014074823.tif 000011
【図１０】
2014074823.tif 000012
【図１１】
2014074823.tif 000013
【図１２】
2014074823.tif 000014
【図１３】
2014074823.tif 000015